(57)【要約】  【課題】  装飾的効果を有する菓子の箱詰め方法、装飾的効果を有するとともに製造の容易な菓子用箱、菓子用箱の製造方法、及び菓子用箱の蓋の製造方法を提供する。  【解決手段】  菓子用箱１０を、菓子１２を入れる本体１４と、本体１４の開口部１６を被覆する蓋１８とから構成し、蓋１８に複数の貫通孔２０を形成し、複数の貫通孔２０により模様を構成した。本体１４を、底部２２及び側壁２４から構成し、菓子１２を配列して入れるように構成した。蓋１８を、長方形の上壁２６及び長方形の側壁２８から構成し、貫通孔２０を上壁２６に形成し、６個又は５個等の１郡の複数の貫通孔２０により花模様３０を構成した。  【選択図】  図１
2006206131.tif 000002
【特許請求の範囲】
【請求項１】
本体に菓子を入れて、蓋で被覆する菓子の箱詰め方法において、
本体に入れた菓子の上にカラーシートを被せた状態で、貫通孔により模様が構成された蓋で被覆する菓子の箱詰め方法。
【請求項２】
菓子を入れる本体と、該本体の開口部を被覆する蓋とから構成された菓子用箱において、
前記蓋に貫通孔が形成され、該貫通孔により模様が構成された菓子用箱。
【請求項３】
前記蓋が上壁及び側壁から構成され、前記貫通孔が該上壁に形成された請求項２に記載する菓子用箱。
【請求項４】
前記模様が花模様、葉模様又は水玉模様である請求項２又は請求項３に記載する菓子用箱。
【請求項５】
菓子を入れる本体と、該本体の開口部を被覆する蓋とから構成され、前記蓋が上壁及び側壁から構成される菓子用箱の製造方法において、
板紙を打ち抜き加工することにより、前記蓋の展開部材を形成するとともに、該蓋の上壁となる部分に、模様を構成する貫通孔を形成するステップと、
前記展開部材の前記側壁となる部分を折り曲げて固定することにより、前記上壁及び側壁を形成するステップと、
を含む菓子用箱の製造方法。
【請求項６】
前記展開部材の前記側壁となる部分を折り曲げ、貼着部材により該側壁となる部分を互いに固定する請求項５に記載する菓子用箱の製造方法。
【請求項７】
前記板紙の表面に装飾シートの貼着又は模様の印刷を行なった後に、該板紙を打ち抜き加工することにより、前記蓋の展開部材を形成するとともに、該蓋の上壁となる部分に、模様を構成する貫通孔を形成する請求項５又は請求項６に記載する菓子用箱の製造方法。
【請求項８】
菓子を入れる本体の開口部を被覆する菓子用箱の蓋であり、上壁及び側壁から構成される菓子用箱の蓋の製造方法において、
板紙を打ち抜き加工することにより、前記蓋の展開部材を形成するとともに、該蓋の上壁となる部分に、模様を構成する貫通孔を形成するステップと、
前記展開部材を折り曲げて固定することにより、前記上壁及び側壁を形成するステップと、
を含む菓子用箱の蓋の製造方法。
【発明の詳細な説明】
【技術分野】
【０００１】
本発明は、和菓子や洋菓子等を詰めて販売するための菓子の箱詰め方法、菓子用箱、菓子用箱の製造方法、及び菓子用箱の蓋の製造方法である。
【背景技術】
【０００２】
従来から、和菓子や洋菓子は、菓子用箱に入れて販売されている。また、菓子のテイクアウト用のキャリーカートンが案出されている（例えば、特許文献１参照。）。このキャリーカートンには目視開口が設けれている。しかし、このような目視開口は装飾的効果を考慮したものではない。また、このキャリーカートンは、製造の容易性を考慮したものではない。
【発明の開示】
【発明が解決しようとする課題】
【０００３】
本発明は、装飾的効果を有する菓子の箱詰め方法、装飾的効果を有するとともに製造の容易な菓子用箱、菓子用箱の製造方法、及び菓子用箱の蓋の製造方法を提供することを課題とする。
【課題を解決するための手段】
【０００４】
本発明の菓子の箱詰め方法は、本体に菓子を入れて、蓋で被覆する菓子の箱詰め方法において、本体に入れた菓子の上にカラーシートを被せた状態で、貫通孔により模様が構成された蓋で被覆することを特徴とする。
【０００５】
本発明の菓子用箱は、菓子を入れる本体と、該本体の開口部を被覆する蓋とから構成された菓子用箱において、前記蓋に貫通孔が形成され、該複数の貫通孔により模様が構成されたことを特徴とする。
【０００６】
本発明の菓子用箱は、前記菓子用箱において、前記蓋が上壁及び側壁から構成され、前記貫通孔が該上壁に形成されたことを特徴とする。
【０００７】
本発明の菓子用箱は、前記菓子用箱において、前記模様が花模様、葉模様又は水玉模様であることを特徴とする。
【０００８】
本発明の菓子用箱の製造方法は、菓子を入れる本体と、該本体の開口部を被覆する蓋とから構成され、前記蓋が上壁及び側壁から構成される菓子用箱の製造方法において、板紙を打ち抜き加工することにより、前記蓋の展開部材を形成するとともに、該蓋の上壁となる部分に、模様を構成する貫通孔を形成するステップと、前記展開部材の前記側壁となる部分を折り曲げて固定することにより、前記上壁及び側壁を形成するステップと、を含むことを特徴とする。
【０００９】
本発明の菓子用箱の製造方法は、前記菓子用箱の製造方法において、前記展開部材の前記側壁となる部分を折り曲げ、貼着部材により該側壁となる部分を互いに固定することを特徴とする。
【００１０】
本発明の菓子用箱の製造方法は、前記菓子用箱の製造方法において、前記板紙の表面に装飾シートの貼着又は模様の印刷を行なった後に、該板紙を打ち抜き加工することにより、前記蓋の展開部材を形成するとともに、該蓋の上壁となる部分に、模様を構成する貫通孔を形成することを特徴とする。
【００１１】
本発明の菓子用箱の蓋の製造方法は、菓子を入れる本体の開口部を被覆する菓子用箱の蓋であり、上壁及び側壁から構成される菓子用箱の蓋の製造方法において、板紙を打ち抜き加工することにより、前記蓋の展開部材を形成するとともに、該蓋の上壁となる部分に、模様を構成する貫通孔を形成するステップと、前記展開部材を折り曲げて固定することにより、前記上壁及び側壁を形成するステップと、を含むことを特徴とする。
【発明の効果】
【００１２】
本発明の菓子の箱詰め方法、菓子用箱、菓子用箱の製造方法、及び菓子用箱の蓋の製造方法によれば、菓子用箱の蓋の貫通孔によって模様を構成しているため、貫通孔によって装飾的効果が生じる。また、貫通孔によって模様を構成するため、貫通孔の内周面の深さ方向の厚みにより立体的な模様を表わすことができる。
【発明を実施するための最良の形態】
【００１３】
本発明に係る菓子の箱詰め方法、菓子用箱、菓子用箱の製造方法、及び菓子用箱の蓋の製造方法の実施形態について、図面に基づいて詳しく説明する。図１乃至図３において、符号１０は本発明に係る菓子用箱である。この菓子用箱１０の場合には、厚紙から構成されている。
【００１４】
本発明の菓子用箱１０は、菓子１２を入れる本体１４と、本体１４の開口部１６を被覆する蓋１８とから構成され、蓋１８に複数の貫通孔２０が形成され、複数の貫通孔２０により模様が構成されている。
【００１５】
本体１４は、長方形の底部２２及び長方形の側壁２４から構成され、菓子１２を配列して入れるように構成されている。この本体１４の製造方法は、従来の製造方法でも良く、特には限定されない。なお、本体１４内には、菓子１２の数量や形状に対応して、敷居板紙が適宜設けられる。
【００１６】
蓋１８は、長方形の上壁２６及び長方形の側壁２８から構成され、貫通孔２０が上壁２６に形成され、６個又は５個等の１郡の複数の貫通孔２０により花模様３０が構成されている。上壁２６の貫通孔２０は内周面に深さ方向の厚みがあるため、立体的な花模様３０が表わされる。
【００１７】
この蓋１８の製造にあたっては、まず、図４に示すように、板紙をプレス打ち抜き加工することにより、蓋１８の展開部材３２の輪郭を形成するとともに、蓋１８の上壁２６となる部分に、花模様３０を構成する貫通孔２０及び切り欠き３４を形成する。なお、上壁２６の表面に着色されている場合は、貫通孔２０の内周面に上壁２６の材料の色が表れ、上壁２６の表面と貫通孔２０の内周面とが異なる色彩となる。また、展開部材３２の輪郭、貫通孔２０、及び切り欠き３４は一体的なプレス型により打ち抜いても夫々分離したプレス型により打ち抜いても良い。また、板紙を複数毎重ね合わせて複数枚の展開部材３２を同時に形成しても良い。次に、カッター等により直線状に切り込んで折り曲げ線３６を形成し、この折り曲げ線３６を外側にして側壁２４となる部分を折り曲げ線３６で山折りにし、側壁２４となる部分同士を貼着部材３８により固定すれば、図１に示す蓋１８が完成する。
【００１８】
このようにして製造された菓子用箱１０は、菓子業者や販売店において、本体１４内に菓子１２を入れ、菓子１２の上にカラーペーパー（カラーシート）４０を被せた状態で、蓋１８で上から被覆する。このようにしてカラーペーパー４０を介して蓋１８をするので、貫通孔２０内には、このカラーペーパー４０の色彩が表れる。例えば、カラーペーパー４０がピンク色であれば、貫通孔２０にピンク色が表れ、ピンク色の花模様３０が表れる。例えば、花模様３０が桜模様であれば、ピンク色の桜模様となり、現実感があるとともに美しい桜模様が表れる。このカラーペーパー４０の色は、季節に対応して変えても良い。例えば、春は緑色、夏は水色、秋は赤色、冬は白色のように、カラーペーパー４０の色を変えても良い。
【００１９】
このような菓子用箱１０によれば、蓋１８の上壁２６全体に渡って設けた貫通孔２０によって花模様３０を構成しているため、優れた装飾的効果が生じる。また、貫通孔２０によって花模様３０を構成しているため、全体から季節感を醸し出すことができ、外観上好ましい。また、菓子用箱１０内の通気性を確保して、菓子１２の品質を保持することも可能となる。
【００２０】
また、上述のような菓子用箱１０の製造方法によれば、プレス打ち抜き加工により、展開部材３２の輪郭及び貫通孔２０を同時に形成できるため、製造が容易である。また、展開部材３２の上壁２６となる部分を折り曲げて、貼着部材３８を貼ることのみによって、上壁２６となる部分同志を互いに固定し、蓋１８の形状を形成できるため、製造コストが少なく製造が容易である。
【００２１】
以上、本発明の菓子の箱詰め方法、菓子用箱、菓子用箱の製造方法、及び菓子用箱の蓋の製造方法の一実施形態について説明したが、本発明は上述の実施形態に限定されるものではない。例えば、図５に示す菓子用箱１０であっても良い。この場合、貫通孔２０によって紅葉模様（葉模様）４０が構成される。この場合、紅葉の葉に対応させて、カラーペーパー４０を赤色又は黄色等から構成することが好ましい。
【００２２】
また、図６に示す菓子用箱１０であっても良い。この菓子用箱１０は、上壁２６だけでなく、側壁２８にも貫通孔２０を設けている。また、複数の貫通孔２０全体によって水玉模様を構成している。この場合、水玉模様に対応させて、カラーペーパー４０を水色又は白色等から構成することが好ましい。
【００２３】
また、図７に示す菓子用箱１０であっても良い。この菓子用箱１０は、蓋１８に菱形の貫通孔２０を設けている。また、複数の貫通孔２０を同一方向に等間隔で設けることにより、その統一感によって一つの模様を構成している。この場合、カラーペーパー４０の色は特に限定されない。
【００２４】
以上、本発明の実施形態について図面に基づいて説明したが、本発明は図示したものに限定されない。
【００２５】
例えば、貫通孔２０の形状は図示しない形状であっても、複数の貫通孔２０によって模様を構成できれば良い。例えば、貫通孔２０によって菓子用箱１０に入れる菓子の形状を表しても良い。また、菓子用箱１０の素材は、紙の他、樹脂又は木であっても良い。また、カラーペーパー４０の色彩はピンク色に限定されず、赤色、黄色、青色、金色又は銀色等であっても良い。また、貫通孔の内周面をテーパ状にすることにより、内周面が外から見えるように構成しても良い。また、カラーペーパー４０の色彩は、一色には限定されず、複数の色彩であっても良い。
【００２６】
また、本発明の菓子用箱の製造方法、及び菓子用箱の蓋の製造方法において、板紙の表面に装飾シートの貼着又は模様の印刷を行なった後に、板紙を打ち抜き加工することにより、蓋１８の展開部材３２を形成するとともに、蓋１８の上壁２６となる部分に、模様を構成する貫通孔２０を形成しても良い。例えば、色紙（装飾シート）を板紙に貼着した状態で打ち抜き加工することにより、色紙の色彩と貫通孔２０の模様とが一体となって、より優れた装飾的効果が生じる。
【００２７】
また、本発明の菓子の箱詰め方法、菓子用箱、菓子用箱の製造方法、及び菓子用箱の蓋の製造方法において、打ち抜き加工して製造した蓋１８の裏側にカラーペーパー４０を貼着しておき、その蓋１８で本体１４を被覆しても良い。このようにしても、貫通孔２０内には、このカラーペーパー４０の色彩が表れる。
【００２８】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２９】
本発明の菓子の箱詰め方法、菓子用箱、菓子用箱の製造方法、及び菓子用箱の蓋の製造方法は、和菓子や洋菓子等の箱に装飾的効果を生じさせるため、菓子の顧客吸引力を向上させるために広く利用できる。
【図面の簡単な説明】
【００３０】
【図１】本発明の菓子用箱の斜視図である。
【図２】図１の菓子用箱を示す図であり、同図（ａ）は平面図であり、同図（ｂ）は正面図である。
【図３】図１の菓子用箱を示すＡ−Ａ線切断部断面図である。
【図４】図１の菓子用箱の製造方法を説明するための図であり、蓋の展開部材の平面図である。
【図５】本発明の菓子用箱の他の実施形態を示す平面図である。
【図６】本発明の菓子用箱の更に他の実施形態を示す斜視図である。
【図７】本発明の菓子用箱の更に他の実施形態を示す斜視図である。
【符号の説明】
【００３１】
１０  菓子用箱
１２  菓子
１４  本体
１６  開口部
１８  蓋
２０  貫通孔
２２  底部
２４  側壁
２６  上壁
２８  側壁
３０  花模様
３２  展開部材
３４  切り欠き
３６  折り曲げ線
３８  貼着部材
４０  カラーペーパー（カラーシート）
４２  紅葉模様（葉模様）
【図１】
2006206131.tif 000003
【図２】
2006206131.tif 000004
【図３】
2006206131.tif 000005
【図４】
2006206131.tif 000006
【図５】
2006206131.tif 000007
【図６】
2006206131.tif 000008
【図７】
2006206131.tif 000009